(57)【要約】【要約書】 【要約】 本願発明は、音響信号を振動に変換するトランスデューサーを椅子の背部や座部に装着し、音響による振動を直接身体で体感できるようにした振動変換椅子に関するものである。本願発明は、椅子のクッションや、背部の素材となる発泡スポンジにバネ部材を一体成型し、音響信号を振動に変換するトランスデューサーにより、発泡スポンジと一体に成形されることで固定されていないバネ部材などによる新たな形態の振動伝達方式を採用することにより、トランスデューサーの振動伝達と共に振動効率を高めることにより、繊細で、迫力ある振動を体感できる。    さらに、発泡スポンジと一体成形されたスプリングとメッシュ素材を組み合わせることによって、圧力分散による発泡スポンジの耐久性を向上させ、振動の分散を高め、振動効果を更に発揮する振動変換椅子の提供が可能である。また、本願発明は、トランスデューサーの振動を伝達するスプリングやメッシュの厚さと直径、及び発泡スポンジの密度などを適切に設定し、共振周波数を目的の特性に合わせて調節することができるなど、振動の伝達特性を向上させることに於いて、振動変換椅子の機能性と効用性を高めることができる。さらに、スプリングやメッシュ状の素材と発泡スポンジを一体化させ、トランスデューサーと共に1つのアセンブリ―として構成することで、映画館や家庭用の椅子の用途だけでなく、その他の家具類など多様な用途として活用することができる体感振動アッセンブリーを実現する。 【代表図】 図1 【課題】ドライブ（４）を備え、第１伸縮部（１）が同心円状に配置された固定部（３）を備える、主に病院用ベッドの高さ調整用伸縮リフタである。【解決手段】第１伸縮部（１）に、少なくとも１個の第２伸縮部（２）が同心円状に配置される。第１伸縮部（１）内部では、その上端（６）領域にガイド（７）が取り付けられる。第２伸縮部（２）内部では、その下端（８）領域にホルダ（９）が取り付けられる。電気ケーブル（５）が固定部（３）内に導入され、電気ケーブル（５）は固定部（３）に取り付けられ、第１伸縮部（１）の内部空間内に自由に通過する。電気ケーブル（５）は第１伸縮部（１）を通って上向きにガイド（７）へ誘導され、ガイド（７）上を電気ケーブル（５）は下向きにホルダ（９）へ誘導され、ここに電気ケーブル（５）は堅固に固定され、第２伸縮部（２）の内壁に沿って、電気ケーブル（５）が第２伸縮部（２）の外に誘導される。【選択図】図１
2013544537.tif 000002
【特許請求の範囲】
【請求項１】
椅子の本体をなす発泡スポンジ（10）と、振動伝達のためのスプリング（11）と、音響信号を振動に変換するトランスデューサ（12）を装着してなる振動変換椅子であって、
前記スプリング（11）は、複数のＳ字状の折り曲げ部を有して多列に板状に形成され発砲スポンジ（10）内に一体的に固定保持され、前記トランスデューサ（12）は、発泡スポンジ（１０）の片面に形成されるトランスデューサー装着孔（13）内においてスプリング（11）の片側面に装着されるとともに、スプリング（11）の他の片側面とトランスデューサブラケット（14）を介してボルト（15）により固定される構成を有して、スプリング（１１）を発砲スポンジ（10）内に一体的に固定保持するフリーサポート構造となすことにより、トランスデューサ（１２）の振動エネルギーが発泡スポンジ（10）の全体に効率良く伝達されるようにしたことを特徴とする振動変換椅子。 
【請求項２】
請求項1記載の振動変換椅子において、上記スプリング（11）は発泡スポンジ（１０）と一体に成型され発泡スポンジ（１０）内に収納されてスプリング（11）の片面全域にわたり発泡スポンジ（１０）が接触する構成を具えるとともに、発泡スポンジ（１０）にかかる圧力を分散しトランスデューサ（１２）からの振動を分散するメッシュ（16）を具えることを特徴とする振動変換椅子。
【請求項３】
請求項1記載の振動変換椅子において、前記スプリング（11）はトランスデューサブラケット（14）とトランスデューサ（12）の間にトランスデューサー固定用スペーサー（17）を介して挟持されていて、このトランスデューサー固定用スペーサ（17）は、スプリング（11）の直径よりも小径としてトランスデューサー固定用スペーサー（17）とトランスデューサ（12）との間にギャップを形成して、装着時にトランスデューサ（12 ）とスプリング（11）との間の密着性を高めるようにしたことを特徴とする振動変換椅子。 
【請求項４】
請求項1記載の振動変換椅子において、トランスデューサ（12）の装着ボルト（15）は、トランスデューサブラケット（14）上に取り付けられ、トランスデューサ（12）の装着作業を容易にすることを特長とする振動変換椅子。 
【請求項５】
請求項1記載の振動変換椅子において、発泡スポンジ（10）に一体に形成されるスプリング（11）の末端に、スポンジからの剥離現象を防止するためのビニールチューブ（18）を装着するようにしたことを特徴とする振動変換椅子。 
【請求項６】
請求項1ないし請求項5のいずれか記載の振動変換椅子において、上記スプリング（11）のギャップと直径はそれぞれ23〜33mと3〜4.5mmであり、発泡スポンジ（12）の密度は60〜70ｋｇ立方メートルに設定したことを特徴とする振動変換椅子。 
【請求項７】
以下の構成を有する振動変換アッセンブリー。
a)  トランスデューサー装着孔（13）が設けられたブロック形の発泡スポンジ（10）と,
b)  振動を伝達するためのスプリング（11）と、
c)  前記スプリング（11）の後面において前記トランスデューサー装着孔（13）内に設けられる一方、前記スプリング（11）の前面に設けられたトランスデューサブラケット（14）にクランプされボルト（15）で固定されていて音響信号を振動に変換するトランスデューサ（12）と、
d)  前記発泡スポンジ（10）内に一体に成形され支持されるトランスデューサ（12）を固定するとともに、前記スプリング（11）の前面に配置されたトランスデューサ（12）をボルト（１５）でクランプ、固定するためのトランスデューサブラケット（14）。
【請求項８】
請求項7記載の振動変換アッセンブリーにおいて、スプリング（11）の片面全体に設けられ、発泡スポンジ（10）内に一体に成型され、スポンジにかかる圧力の分散と、トランスデューサーから伝わる振動を分散するメッシュ（16）を装着したことを特徴とする振動変換アッセンブリー。 
【発明の詳細な説明】
【技術分野】
【０００１】
本願発明は、振動変換椅子に関するもので、より詳しくは、音響信号を振動に変換するトランスデューサーを椅子の背板やクッションに収納して、音響信号により生起される振動を直接身体において体感できるようにした振動変換椅子に関する。
【背景技術】
【０００２】
一般的に人の目に見えるのは、主に３次元の立体映像だが、カメラやビデオカメラなどを利用して、撮影した映像がTV、モニター、劇場のスクリーンを通って表示される場合には、平面映像である2次元であるため、その立体感は大幅に低下する。
【０００３】
これらの点を考慮して、最近では、劇場や遊園地の大規模なイベントホール、立体映画館などの椅子に座って映画を鑑賞する場合に、ビデオの中のさまざまな状況を間接的にたとえ体験できるようにするために、特殊効果装置を備えた体感型の椅子が数多く提案され、最近では双方向信号交信が可能なデジタルメディアが普及し、複合型映画館「マルチプレックスシアター」と呼ばれる映画館進出展開がなされている。
映画館での上映では、２Ｄ「２次元映像」のみでなく、立体撮影装置（３Ｄ「立体」撮影機材）で撮影した、現実感をより高めた３Ｄ「3次元」の立体映画が同時に公開されている。
【０００４】
また、特殊制作演出映画専門の４Ｄ「４次元」立体映像館「Ｄ−ＢＯＸシアター・ＩＭＡＸシアター」に於いては、振動装置を劇場椅子に装着し、重低音サウンドと共に搖動、と振動をさせる事により、より深く感動を高め、臨場感を与えるための体感音響椅子を採用する映画館が出現している。
体感音響椅子は、モーター等により機械的な振動に変換して、人の身体に伝達する方法が殆どである。 この体感音響椅子は、機械的な振動による微細な振動の伝達に限界があり、機械的で一律的な振動による不快感や、製作コストの上昇、装置の複雑さなど、多くの問題を持っていることから、最近では映画鑑賞客に映像場面と同じ環境場面に遭遇する演出効果を発揮させる事により、より一層面白く、楽しく映像を鑑賞し、映画に没入できるような、従来の方式とは異なる個性的で多種にわたり体験可能な方法の研究が多角的に進められている。 
【発明の開示】
【発明が解決しようとする課題】
【０００５】
本願発明は、以上のような消費者ニーズと技術背景を勘案してなされたもので、椅子の座部や、背部の素材となるスポンジにバネ材に固定した音響信号を振動に変換するトランスデューサーを発泡スポンジで一体化して発泡成型した中に、振動体を固定した新タイプの振動伝達方式を装備することにより、トランスデューサーの振動伝達、振動力を最も効率的に再現することにより、振動が更に繊細に移動するような、立体的な振動を体感できるようにする振動変換椅子の提供を目的としている。 
【０００６】
また、本発明は、発泡スポンジにより一体成型するスプリングやメッシュ状の素材を結合することにより、圧力の分散と発泡スポンジの耐久性を向上させ、振動を広範囲に分散させ、高められた振動効果を体感できる振動変換椅子の提供を目的としている。 
【０００７】
さらにまた、本願発明は、トランスデューサーの振動を伝えるスプリングやメッシュの厚さと直径、及び発泡スポンジの密度などを適切に設定し、共振周波数の特性に合わせて調節することができるなど、振動の伝達特性を向上させることにより、振動変換椅子の機能性と効用性を高めることができる振動変換椅子の提供を目的としている。 
【０００８】
さらに、本願発明は、スプリングやメッシュ状の素材と発泡スポンジを一体化させ、トランスデューサーを装着したアッセンブリーを製品化することで、映画館や家庭用の椅子の用途だけでなく、その他の家具類など多用途に活用可能な振動変換アッセンブリーの提供を目的としている。 
【課題を解決するための手段】
【０００９】
上記の目的を達成するため、本願に係る振動変換椅子は、椅子の本体をなす発泡スポンジと振動伝達用スプリングに、音響信号を振動に変換するトランスデューサーを装着し、一体化する構成を有している。  このために、スプリングを数回曲折して全体として板状体にし、発泡スポンジ内に一体成型し、トランスデューサーを装着したスプリングを発泡スポンジに形成したトランスデューサー取り付け孔内に配置し、バネの１側面に装着するトランスデューサブラケットにボルトで固定する構造とし、スプリングを固定しない保持方法により、トランスデューサーの振動力を効率的に伝える構造が特徴である。 
【００１０】
上記の振動変換椅子はスプリング片面の全体に装着したメッシュを発泡スポンジ内に一体成型する事により、発泡スポンジにかかる圧力を分散させ、発泡スポンジの耐久性を強め、また、トランスデューサーから伝わる振動がメッシュ全体に広がり、振動の分散を広範囲化することが望ましい。 
【００１１】
他方、本願発明の振動変換アッセンブリーは、片面にトランスデューサーが安易に駆動できる溝を設けたブロック状に形成された発泡スポンジと、この発泡スポンジ内に一体成型されて振動を伝達するスプリングと、発泡スポンジ内に一体成型されて保持される事により固定されるトランスデューサーと、スプリングの片面に配置されてトランスデューサーをボルトで固定するトランスデューサブラケットと、スプリングの片面のトランスデューサー装着溝に配置されバネの片面に配置されているトランスデューサブラケットの上にボルトで固定されるトランスデューサーとスプリングの全面に分布されて発泡スポンジに一体成型されてス発泡ポンジに掛かる圧力を分散しトランスデューサーから伝わる振動を分散するためのメッシュと、で構成されていて、映画劇場椅子以外にも様々な用途で活用できる特徴を有している。 
【発明の効果】
【００１２】
本願発明による振動変換椅子は、 第一に、トランスデューサーの振動を伝達するスプリングはフレームに固定されることなく発泡スポンジとともに一体的に成型され、支持のないフリー状態にあって自在であることにより、トランスデューサーの振動エネルギーを効果的に伝達でき、したがって椅子の使用者は精細な三次元振動を体験できる。
【００１３】
第二に、発泡スポンジ内にスプリングとメッシュを一体化することにより、圧力分散による発泡スポンジの耐久性が高まり、振動の分散による振動体感効果が向上可能となる。
【００１４】
第三に、Ｕ字状の折曲部を介して棒材が複数並立しているスプリングの前記棒材間隔及びその直径、発泡スポンジ密度を最適化することで、トランスデューサーから発する周波数を装着する製品の特性に合わせて調節可能なことから、振動変換椅子の機能性と効率性を向上させることができる。 
【００１５】
第四に、発泡スポンジ、スプリング、メッシュ、及びトランスデューサーの一体型アッセンブリーとして供給可能なことから、映画館の椅子、家庭用椅子、その他家具類など、多用途に活用可能である。 
【図面の簡単な説明】
【００１６】
図1は、本願発明に係る振動変換椅子の好適な実施例における発砲スポンジ、スプリング、メッシュ、及びトランスデューサーの関連構成を示す側部斜視図である。
図2は、本願発明に係る振動変換椅子における発砲スポンジ、スプリング、メッシュ、及びトランスデューサーの装着状態を示す平面図である。
図3は、本願発明に係る振動変換椅子における発泡スポンジ、スプリング、メッシュ、及びトランスデューサーの関連構成の詳細を示す一部断面図である。
図4は、本願発明に係る振動変換椅子における発泡スポンジ、スプリング、メッシュ、及びトランスデューサブラケットの搭載状態を示す正面ならびに一部断面平面図である。
図5は本願発明に係る振動変換椅子の好適な実施例における発泡スポンジ、スプリング、メッシュ、及びトランスデューサーの配置構成を示す説明図である。
図6は、本願発明に係る振動変換椅子の実施例における発砲スポンジ、スプリング、メッシュ、及びトランスデューサーの関連構成を示す側面図である。
【発明の詳細な説明】
【００１７】
以下、添付図面を基にしての、本発明の詳細は、次の通りである。 図1ないし図3は、本発明である振動変換椅子から発砲スポンジ、スプリング、メッシュ、及びトランスデューサーの装着図と装着断面図である。 図1ないし図3に示すように、振動変換椅子は、トランスデューサ（12）の振動を伝達するスプリング（11）を椅子のフレームなどに固定することなく、発泡スポンジ（10）内に一体に成形保持するように構成し、当該スプリング（11）の自在な保持構造によりトランスデューサ（12）の振動力を最も効率的に伝達できるようになる。 
【００１８】
スプリング（11）が椅子のフレームなどの剛体に固定されている場合、トランスデューサ（12）の振動は椅子のフレームなど剛体に固定されているスプリング（11）上にトランスデューサ（12）のカバーが固定されることになるから、トランスデューサーの振動が、椅子を通して身体に対し、広範囲に伝播せず、振動が効率良く伝わらず、振動が弱くなる。  本願発明では、発泡スポンジ（10）上に保持され椅子本体に固定しない状態でのスプリング（11）上にトランスデューサ（12）が固定され、トランスデューサ（12）の振動のみでなく、全体がスプリング（11）と共に振動することから、トランスデューサ（12）の振動力を更に効果的に伝えることができる。
【００１９】
すなわち、正方形ブロックの形状は、椅子のクッションや、前述のブロック型の発泡スポンジ（10）と、トランスデューサ（12）の振動を伝達するスプリング（11）で構成されている。  発泡スポンジ（10）の片面に、四角形のトランスデューサー空間（１３）を設けることにより、トランスデューサ（12）を装着することができる、上記スプリング（11）は、鋼棒材に曲げ加工を繰り返し加工して並列させて全体に板状とし、発泡スポンジ（10）の全面積や、ある一部面積に配置装着することができる。 特に、上記スプリング（11）は、発砲スポンジ（10）内に一体成形され保持構造に装着される。    すなわち、発泡スポンジ（10）の発泡成形時に、スプリング（11）を金型（不図示）内に装着して成形することにより、スプリング（11）と発泡スポンジ（10）は、一体化成形され、スプリング（11）は、他の構造物に支持部を持たず、発泡スポンジ（10）内での自在な保持構造を有することになる。
【００２０】
以上のように、スプリング（11）がフリーの状態になり、トランスデューサ（12）の振動エネルギーが最も効率的に伝えられることとなる。
上記の発泡スポンジ（10）内に一体成形されたスプリング（11）の端末に、一定の長さのビニールチューブ（18）を装着することにより、長期間の使用による荷重負荷等の影響にあっても、スプリングの端末がスポンジから分離し、スポンジの破損を防ぐことができる。
スプリング（11）を固定し、発泡成形する場合、スポンジの共振周波数を考慮して、Ｓ字スプリングの間隔（Ｓ字の２本平行になるバネ鋼線とバネ鋼線の間隔）を23〜33mmに設定し、スプリング（鋼線）の直径を3〜4.5mmに設定することが望ましく、この時の発泡スポンジ（12）の密度は、スプリング（11）との接着強度、振動の伝達特性などを考慮して、60〜70ｋｇ/立方メートルに設定することが望ましい。
【００２１】
また、上記スプリング（11）の厚さと直径を変更して、共振周波数を調整することも可能であり、スプリングの間隔や鋼鉄線径を適切に選択して、目的の特性に合わせたスプリングの製作も可能になる。
さらに、本願発明では、トランスデューサ（12）の振動エネルギーを更に広く分散させ、スポンジに及ぼす椅子使用者の荷重を分散させる手段として、軟質の直毛型（格子型網の目）で構成されるメッシュ（16）を提供開示する。 上記のメッシュ（16）は、スプリング（11）の片面に、例えばスプリング（11）のフロント面全体に敷設され、発泡スポンジ（10）内に一体に成形される構成を有している。
【００２２】
すなわち、メッシュ（16）は発泡スポンジ（10）の発泡成形時にスプリング（11）と共に金型に装着され、一体に成形される。  この際、上記のメッシュ（16）は、石油系の素材でスポンジとの粘着性を有する素材を使用することが望ましい。  このことにより、スプリング（11）の範囲全体にメッシュ（16）が貼付され、スプリング（11）に伝わる振動がメッシュ（16）全体に広がるようになり、振動の分散を拡大化できる。
メッシュを介在させず、スプリング（11）のみで、長期間使用する場合は、スポンジとの剥離可能性がある。
【００２３】
上記のようにスプリング（11）の周囲にメッシュ（16）を配置することにより、圧力分散が可能となり、加圧分散による発砲スポンジ（10）の耐久性を強化させる。また、メッシュ（16）はスプリング（11）と、トランスデューサブラケット（14）の間に入れ、スプリングとブラケットとの間の共振音防止用としても作用する。  トランスデューサ（12）の固定のための手段として、正方形のプレート型のトランスデューサブラケット（14）を、スプリング（11）の前面に設置し、スプリング（11 ）を間にして、その片面に設置するトランスデューサ（12）とボルト（15）により締結する。 
【００２４】
これらのトランスデューサブラケット（14）は発泡スポンジ（10）の発泡成形時のスプリング（11）やメッシュ（16）と共に金型内に挿入し、スポンジの一体成型することができるようになる。スプリング（11）のみの構造では、発泡スポンジ（10）内のスプリング（11）とトランスデューサブラケット（14）が直接装着となり、スプリング（11）とメッシュ（16）共に使用する構造の場合には、発泡スポンジ（10）内のスプリング（11）、メッシュ（16）とトランスデューサブラケット（14）順序立て配置することになる。
【００２５】
トランスデューサブラケット（14）に装着するトランスデューサー締結用のボルト（15）は、トランスデューサブラケット（14）上に溶接し、ブラケット一体型になり、他のボルトとナットで締める必要がなくトランスデューサ（12）の装着がより容易になる。
すなわち、スプリング（11）の片面方向に装着の4個のボルト（15）をトランスデューサーの取り付け穴に挿入し、締め付けることによる、簡単な作業となる。
【００２６】
また、本発明では、トランスデューサ（12）とトランスデューサブラケット（14）を締め付ける際、トランスデューサ（１２）とトランスデューサブラケット（１４）の間にトランスデューサー固定用スペーサー（17）を挿入する。トランスデューサー固定用スペーサー（17）は、スプリング（11）を挟んで共に締結するトランスデューサブラケット（14）とトランスデューサ（12）の間にボルト（15）に挟まれる状態で装着される。トランスデューサー）固定用スペーサー（17）の厚さは、スプリング（11）の直径よりも相対的に薄く、トランスデューサー）固定用スペーサー（17）に接するトランスデューサ（12）の内側面との間にはギャップが形成される。
【００２７】
スプリングの直径より0.2〜0.4mm程度の小さい厚さのトランスデューサー）固定用スペーサー（17）を採用することにより、このギャップを確保することができるようになる。 これにより、トランスデューサ（12）の締め付け時にトランスデューサ（12）のフランジは、隙間があり、スペーサ側に微妙な曲がりがある。締め付け時に、トランスデューサ（12 ）とスプリング（11）との間の密着度を向上させることができ、また、プレートの張力によってネジの緩みが防止できる。
【００２８】
発泡スポンジ（10）、スプリング（11）とメッシュ（16）、トランスデューサ（12）で構成される体感振動アッセンブリーとして供給できる。スポンジの片面に、トランスデューサー装着用溝（13）が形成されているブロック型の発泡スポンジ（10）孔を設け、発泡スポンジ（10）の内部には、振動伝達のための板状折り曲げ型スプリング（11）と、格子状単板のメッシュ（16）がスポンジ一体型中に配置され、発泡スポンジ（10）内に一体生計されることにより保持され、トランスデューサ（12）の固定はトランスデューサブラケット（14 ）とスプリング（11）に装着する。 
【００２９】
このようにスプリング（11）、メッシュ（16）とトランスデューサブラケット（14）を一体発泡成形し発泡スポンジ（10）のトランスデューサー装着用溝）（13）内に、トランスデューサ（12）の装着時、トランスデューサ（12）とトランスデューサブラケット（14）を上面にして、Ｓ字状バネ、メッシュ（16）とスプリング（11）を貫通するボルト（15）で締める構造の組立により、発泡スポンジ（10）、スプリング（11）とメッシュ（16）、トランスデューサ（12）の一体型で構成される体感振動アッセンブリーが完成する。 
【００３０】
トランスデューサ（12）をボルト（15）で締める場合は、トランスデューサー固定用スペーサー（17）を合わせた後になる。
体感振動アッセンブリーは、映画用椅子のみでなく、家庭用の椅子、ソファー、その他の家具類、や音響と振動の効果を同時に追求する製品などに幅広く活用させるなどの特長を有する。
【００３１】
図4は、振動体感椅子から発砲スポンジ、スプリング、メッシュ、及びトランスデューサブラケットを一体発泡成形する金型正面図および平面図である。 
図4に示すように、金型は、トランスデューサー装着溝成型コア金型（19）とスプリング装着用のため、複数のスプリング支持台（20）を設置し、4か所に、メッシュ用ピン（21）を設置する。スプリング支持台（20）の上には板状のスプリング（11）を置き、その上部にメッシュ（16）とトランスデューサブラケット（14）を順序良く搭載する。
【００３２】
メッシュ（16）は、メッシュ用ピン（21）に4カ所で固定され、トランスデューサブラケット（14）は、ボルト（15）装着されている。 特に、上記のコア金型（19）には、スプリング（11）箇所に8個のスプリング固定用の磁石（22）を備え、当該磁石（22）は、金型の表面よりも約0.2〜0.4 mm程度出るように装着する。金型にスプリング（11）、メッシュ（16）、トランスデューサー）ブラケット（14）を配置し、他方の金型を合わせ、樹脂注入し、発泡成形することにより、発泡スポンジ、スプリング、メッシュ、及びトランスデューサブラケットの一体型アッセンブリーが得られることになる。
【００３３】
上記一体型アッセンブリーにトランスデューサー（12）装着することにより）、体感振動アッセンブリーが完成する。  これにより、振動変換椅子の座部や背部を構成することができる。
【００３４】
図5と図6は、振動変換椅子に発砲スポンジ、スプリング、メッシュ、及びトランスデューサーを装着した立面図と側面図である。
図5と図6は、映画館用の振動変換椅子である。  振動変換椅子の座部（100）には、発泡スポンジ（10）と一体成型されているトランスデューサー（12）、メッシュ（１６）とスプリング（11）が全体の面積にわたって設置され、背部（110）にも発泡スポンジ（10）に一体に成形されているトランスデューサー（12）、メッシュ（１６）とＳ字状スプリング（11）が背部の下に装着される。  
【００３５】
なお、マーク120は、振動体感オン/オフのスイッチを示す。      
映画の音響と共に、トランスデューサ（12）の振動は椅子内に埋め込まれた自在構造のスプリング（11）と発泡スポンジ（10）とにより、観客の身体に伝達されるが、メッシュにより振動椅子全体に分散され、伝えられることから、観客は繊細で、実在感、実動感などの臨場感を振動により倍加される効果を体験できる。 
【符号の説明】
【００３６】
10：発泡スポンジ
11：スプリング 
12：トランスデューサー（transducer）
13：トランスデューサー装着孔
14：トランスデューサブラケット
１５：スクリュー
１６：メッシュ
１７：トランスデューサー装着マウント
１８：プラスチックチューブ
１９：コア金型
２０：スプリング支持
２１：メッシュピン
２２：磁石
【図１】
2013544537.tif 000003
【図２】
2013544537.tif 000004
【図３】
2013544537.tif 000005
【図４】
2013544537.tif 000006
【図５】
2013544537.tif 000007
【図６】
2013544537.tif 000008
【国際調査報告】
2013544537.tif 000009
2013544537.tif 000010
2013544537.tif 000011
2013544537.tif 000012